(57)【要約】      （修正有）【課題】中継器を用いることにより、宛先によって受信される信号を高める。【解決手段】無線セルラー通信ネットワークにおいて少なくとも送信元によって宛先へ転送された少なくとも１つの送信元信号からリトリーブされる情報ビットから取得された複素シンボルから成る少なくとも１つの信号を中継器によって転送するための方法であって、送信元信号は、上記情報ビットから取得された複素シンボルから成る。該中継器は、少なくとも送信元によって転送された少なくとも１つの送信元信号を受信し、少なくとも１つの受信された信号からの情報ビットの復号に成功し、情報ビットから取得することができる複素シンボルから成る複数の信号の中の１つの信号を取得し、情報ビットの復号に成功した時刻から転送されるべき取得された信号の部分を転送する。【選択図】図１
2011109667.tif 000002
【特許請求の範囲】
【請求項１】
無線セルラー通信ネットワークにおいて少なくとも送信元によって宛先へ転送された少なくとも１つの送信元信号からリトリーブされる情報ビットから取得された複素シンボルから成る少なくとも１つの信号を中継器によって転送するための方法であって、前記送信元信号は、前記情報ビットから取得された複素シンボルから成り、
該方法は、前記中継器によって実行されるステップであって、
少なくとも前記送信元によって転送された少なくとも１つの送信元信号を受信するステップと、
前記少なくとも１つの受信された信号からの前記情報ビットの復号に成功するステップと、
前記情報ビットから取得することができる複素シンボルから成る複数の信号の中の１つの信号を取得するステップと、
前記情報ビットの前記復号に成功した時刻から転送されるべき、前記情報ビットから取得することができる複素シンボルから成る前記取得された信号の部分を転送するステップであって、前記取得された信号の前記部分の前記複素シンボルは、レートマッチングアルゴリズムによって生成された冗長性に対応する、転送するステップと、
を含むことを特徴とする、方法。
【請求項２】
前記送信元は、前記情報ビットから取得された複素シンボルから成る１つの送信元信号を前記送信元の各アンテナを通じて転送し、
前記送信元のアンテナを通じて転送される各送信元信号は、前記送信元の別のアンテナを通じて転送される各送信元信号と異なることを特徴とする、請求項１に記載の方法。
【請求項３】
前記中継器は、該中継器の前記アンテナのそれぞれについて、前記情報ビットから取得することができる複素シンボルから成る複数の信号の中の１つの信号を取得し、
前記中継器のアンテナを通じて転送される各取得された信号は、前記中継器の別のアンテナを通じて転送される各取得された信号と異なることを特徴とする、請求項１又は請求項２に記載の方法。
【請求項４】
１つの取得された信号は、
前記情報ビットから取得することができる複素シンボルから成る複数の信号の中の１つの信号を識別することと、
前記情報ビットの復号の成功から転送されるべき前記識別された信号の部分を前記復号された情報ビットから導出することと、
によって取得されることを特徴とする、請求項１から請求項３までのいずれか１項に記載の方法。
【請求項５】
前記識別された信号は、前記情報ビットから取得することができる複素シンボルから成る前記複数の信号から、ランダムに選択されることを特徴とする、請求項４に記載の方法。
【請求項６】
前記識別された信号は、メモリーに記憶された少なくとも１つの情報を読み出すことによって識別されることを特徴とする、請求項４に記載の方法。
【請求項７】
前記識別された信号は、
前記複数の信号の中の各可能な信号について関連付けられたパイロットシンボルの前記受信電力を測定することと、
前記関連付けられたパイロットシンボルの受信電力が最も低いものの１つである少なくとも１つの信号を識別することと、
によって識別されることを特徴とする、請求項４に記載の方法。
【請求項８】
分散空間分割多重伝送方式が前記無線セルラー通信ネットワークで使用されることを特徴とする、請求項１から請求項７までのいずれか１項に記載の方法。
【請求項９】
時空間ブロック符号が前記無線セルラー通信ネットワークで使用されることを特徴とする、請求項１から請求項７までのいずれか１項に記載の方法。
【請求項１０】
無線セルラー通信ネットワークにおいて少なくとも送信元によって宛先へ転送された少なくとも１つの送信元信号からリトリーブされる情報ビットから取得された複素シンボルから成る少なくとも１つの信号を転送することができる中継器であって、前記送信元信号は、前記情報ビットから取得された複素シンボルから成り、
該中継器は、
少なくとも前記送信元によって転送された少なくとも１つの送信元信号を受信する手段と、
前記少なくとも１つの受信された信号からの前記情報ビットの復号に成功する手段と、
前記情報ビットから取得することができる複素シンボルから成る複数の信号の中の１つの信号を取得する手段と、
前記情報ビットの前記復号に成功した時刻から転送されるべき、前記情報ビットから取得することができる複素シンボルから成る前記取得された信号の部分を転送する手段であって、前記取得された信号の前記部分の前記複素シンボルは、レートマッチングアルゴリズムによって生成された冗長性に対応する、転送する手段と、
を備えることを特徴とする、中継器。
【発明の詳細な説明】
【技術分野】
【０００１】
本発明は包括的には、無線セルラー通信ネットワークにおいて送信元によって宛先に転送されるシンボルを中継するための方法及びデバイスに関する。
【背景技術】
【０００２】
将来の無線セルラー通信ネットワークは、現在の無線セルラー通信ネットワークによって使用される周波数帯よりも高い周波数帯を使用する予定である。
【０００３】
これらのセルラー通信ネットワークは、特に都市環境において、デッドゾーンを有することになり、その地帯では、基地局と端末との間で転送される信号が著しく減衰することになる。
【０００４】
基地局によって放射された信号が減衰されすぎている場合、無線セルラー通信ネットワークへのアクセスは、デッドゾーンに位置する移動端末には可能でない場合がある。
【０００５】
解決法が今日提案されている。中継器のような特定の無線電気通信デバイスによって、デッドゾーンを削減することが意図されている。
【０００６】
特許文献１は、ＭＩＭＯ無線ネットワークにおいて協調ダイバーシティを提供する方法を開示している。
【先行技術文献】
【特許文献】
【０００７】
【特許文献１】米国特許出願公開第２００６／０２３９２２２号
【発明の概要】
【発明が解決しようとする課題】
【０００８】
本発明は、中継器を用いることにより、宛先によって受信される信号を高めることを目的とする。
【０００９】
本発明はさらに、宛先に転送されるシンボルのダイバーシティを高めることを目的とする。
【課題を解決するための手段】
【００１０】
そのために、本発明は、無線セルラー通信ネットワークにおいて少なくとも送信元によって宛先へ転送された少なくとも１つの送信元信号からリトリーブされる情報ビットから取得された複素シンボルから成る少なくとも１つの信号を中継器によって転送するための方法であって、送信元信号は、上記情報ビットから取得された複素シンボルから成り、
該方法は、中継器によって実行されるステップであって、
少なくとも送信元によって転送された少なくとも１つの送信元信号を受信するステップと、
少なくとも１つの受信された信号からの情報ビットの復号に成功するステップと、
情報ビットから取得することができる複素シンボルから成る複数の信号の中の１つの信号を取得するステップと、
情報ビットの復号に成功した時刻から転送されるべき取得された信号の部分を転送するステップと、
を含むことを特徴とする、方法に関する。
【００１１】
本発明はまた、無線セルラー通信ネットワークにおいて少なくとも送信元によって宛先へ転送された少なくとも１つの送信元信号からリトリーブされる情報ビットから取得された複素シンボルから成る少なくとも１つの信号を転送することができる中継器であって、送信元信号は、上記情報ビットから取得された複素シンボルから成り、
該中継器は、
少なくとも送信元によって転送された少なくとも１つの送信元信号を受信する手段と、
少なくとも１つの受信された信号からの情報ビットの復号に成功する手段と、
情報ビットから取得することができる複素シンボルから成る複数の信号の中の１つの信号を取得する手段と、
情報ビットの復号に成功した時刻から転送されるべき取得された信号の部分を転送する手段と、
を備えることを特徴とする、中継器に関する。
【００１２】
したがって、中継器は、情報ビットを正しく復号することができるときに、自身の送信を動的に適応させる。中継器は、宛先が情報ビットをリトリーブするのを助けることができる信号のみを送信する。中継器の使用は効率的であり、近接した通信にあまり大きな干渉を生成しない。
【００１３】
特定の特徴によれば、送信元は、上記情報ビットから取得された複素シンボルから成る１つの送信元信号を送信元の各アンテナを通じて転送し、送信元のアンテナを通じて転送される各送信元信号は、送信元の別のアンテナを通じて転送される各送信元信号と異なる。
【００１４】
特定の特徴によれば、中継器は、該中継器のアンテナのそれぞれについて、情報ビットから取得することができる複素シンボルから成る複数の信号の中の１つの信号を取得し、中継器のアンテナを通じて転送される各取得された信号は、中継器の別のアンテナを通じて転送される各取得された信号と異なる。
【００１５】
したがって、宛先は、同じ情報ビットに対応する異なる信号を観測し、これによって、システム性能が改善される。
【００１６】
特定の特徴によれば、１つの取得された信号は、
情報ビットから取得することができる複素シンボルから成る複数の信号の中の１つの信号を識別することと、
情報ビットの復号の成功から転送されるべき識別された信号の部分を、復号された情報ビットから導出することと、
によって取得される。
【００１７】
したがって、中継器は、送信される信号を独力で導出することができる。すなわち、送信元から中継器へ余分なデータは送信されない。これによって、オーバーヘッドが低減される。
【００１８】
特定の特徴によれば、識別された信号は、情報ビットから取得することができる複素シンボルから成る複数の信号からランダムに選択される。
【００１９】
したがって、各中継器は、送信される信号を独力で選択することができる。すなわち、中継器へ制御シグナリングは送信されない。これによって、オーバーヘッドが低減され、システムは非常に柔軟なものとなる。
【００２０】
特定の特徴によれば、識別された信号は、メモリーに記憶された少なくとも１つの情報を読み出すことによって識別される。
【００２１】
したがって、中継器は、制御シグナリングを受信することなく、どの信号を送信しなければならないのかを知り、宛先は、受信性能を改善する異なる信号を常に受信することができる。
【００２２】
特定の特徴によれば、識別された信号は、
複数の信号の中の各可能な信号(each possible signals)に関連付けられたパイロットシンボルの受信電力を測定することと、
関連付けられたパイロットシンボルの受信電力が最も低いものの１つである少なくとも１つの信号を識別することと、
によって識別される。
【００２３】
したがって、中継器は、制御シグナリングを受信することなく、また初期化フェーズなしで、どの信号を送信しなければならないのかを判断する。さらに、宛先は、多数の異なる信号を観測し、これによって、性能が改善される。最後に、システムは、中継器の情報ビットの正しい復号の順序が何であろうとも、自動適応する。
【００２４】
特定の特徴によれば、分散空間分割多重伝送方式(Spatial Division Multiplexing transmission scheme)が無線セルラー通信ネットワークで使用される。
【００２５】
したがって、中継器は、一般的なＭＩＭＯ（多入力多出力(Multiple Input Multiple Output)）方式の少なくとも１つのアンテナに対応する少なくとも１つの信号を送信する。
【００２６】
システム性能が改善される。
【００２７】
特定の特徴によれば、時空間ブロック符号が無線セルラー通信ネットワークで使用される。
【００２８】
したがって、送信元及び中継器のアンテナによって送信されるＭＩＭＯ方式は、複雑度の低い復号を有し、性能が改善される。
【００２９】
さらに別の態様によれば、本発明は、プログラム可能デバイスに直接ロード可能であり得るコンピュータプログラムであって、該コンピュータプログラムが、プログラム可能デバイスにおいて実行されるときに、本発明による方法のステップを実施するための命令又はコードの一部を含む、コンピュータプログラムに関する。
【００３０】
コンピュータプログラムに関連する特徴及び利点は、本発明による方法及びデバイスに関連して上述されたのと同じであるので、ここでは繰り返さない。
【００３１】
本発明の特徴は、一例の実施形態の以下の説明を読むことによってより明らかになる。上記説明は、添付図面に関して作成されたものである。
【図面の簡単な説明】
【００３２】
【図１】本発明が実施される無線セルラー通信ネットワークのアーキテクチャを表す。
【図２】本発明が実施される中継器のアーキテクチャを表す図である。
【図３】本発明が実施される中継器管理エンティティのアーキテクチャを表す図である。
【図４】本発明の第１の実現モードによる中継器によって実行されるアルゴリズムの一例を開示する。
【図５】本発明の第２の実現モードによる中継器によって実行されるアルゴリズムの一例を開示する。
【図６】本発明による送信元と宛先との間で転送される信号の一例を開示する。
【図７】本発明の第３の実現モードによる中継器によって実行されるアルゴリズムの一例を開示する。
【図８】本発明の第３の実現モードによる中継器管理エンティティによって実行されるアルゴリズムの一例を開示する。
【発明を実施するための形態】
【００３３】
図１は本発明が実施される無線セルラー通信ネットワークのアーキテクチャを表す。
【００３４】
無線セルラー通信ネットワークにおいて、送信元Ｓｒｃが、少なくとも１つの宛先Ｄｅｓｔに信号を転送する。
【００３５】
送信元Ｓｒｃは、移動端末のような少なくとも１つの宛先に、又はホーム基地局に信号を転送する基地局とすることができる。
【００３６】
送信元Ｓｒｃは、基地局のような少なくとも１つの宛先に信号を転送する移動端末又はホーム基地局とすることができる。
【００３７】
基地局は、アクセスノード、又はノードＢ、又はエンハンストノードＢとも呼ばれる。
【００３８】
基地局又はホーム基地局は、少なくとも１つの移動端末をハンドリングすることができる。
【００３９】
基地局又はホーム基地局は、その基地局又はホーム基地局を通じて移動端末が遠隔デバイスとの通信を確立できるようにするために必要とされる情報を基地局又はホーム基地局が有するときに、その移動端末をハンドリングする。
【００４０】
基地局又はホーム基地局は、ダウンリンクチャネルを通じて、移動端末に信号を転送し、アップリンクチャネルを通じて、移動端末によって転送される信号を受信する。
【００４１】
送信元Ｓｒｃは、例えば衛星のような放送デバイスとすることができる。その例では、放送サービスの宛先Ｄｅｓｔと送信元Ｓｒｃとの間にアップリンクチャネルはない。
【００４２】
その中継器ＲＬ１〜ＲＬ４は、動的復号及び転送（ＤＤＦ）プロトコルに従って動作する。
【００４３】
ＤＤＦプロトコルは、中継器ＲＬにおけるスマート処理を含む。中継器ＲＬは、送信元Ｓｒｃから宛先Ｄｅｓｔに送信される情報を受信し、その復号化を試み、その復号化によって誤りが生じない場合にその後、送信段階に移行する。
【００４４】
本発明の特定の実現形態では、中継器ＲＬは、宛先Ｄｅｓｔによって送信元Ｓｒｃに転送される肯定応答及び非肯定応答を監視する。
【００４５】
中継器ＲＬが情報ビットを受信し、復号化するのに成功するとき、その中継器ＲＬは、非肯定応答が検出されるときにのみ、シンボルを転送する。肯定応答が検出されるとき、送信元Ｓｒｃ及び中継器ＲＬによって、情報ビット伝送のためのシンボルは転送されない。
【００４６】
特定の実現モードでは、中継器ＲＬが送信モードにあるとき、中継器は、送信元Ｓｒｃと同じ周波数／時間リソースで信号を転送する。
【００４７】
４つの中継器ＲＬ１〜ＲＬ４が示されているが、本発明は、異なる個数、例えばより多くの中継器が無線セルラー通信ネットワークに存在するときも機能することを理解することができる。
【００４８】
分散空間分割多重（ＳＤＭ）伝送方式が無線セルラー通信ネットワークで使用される場合、送信元Ｓｒｃは自身のアンテナのそれぞれを通じて１つの信号を転送し、中継器ＲＬは、送信元Ｓｒｃによって宛先Ｄｅｓｔへ送信された情報ビットを受信して、その復号を試みる。
【００４９】
本発明の特定の実現モードによれば、送信元Ｓｒｃは、自身のアンテナのそれぞれを通じて１つの信号を転送し、この信号は、他のアンテナを通じて転送された他の信号とは異なる。
【００５０】
送信元Ｓｒｃは、情報語(information word)のＫビットの情報ビットを送信する。情報ビットは、符号化ビットのベクトルを形成するために、符号化器及びその後に続く場合があるインターリーバーによって符号化ビットに変換される。
【００５１】
符号化ビットは、符号化ビットのＴ個の異なる部分ベクトルに分割される。符号化ビットの各部分ベクトルは、レートマッチングアルゴリズムによって生成された冗長性を備える。
【００５２】
符号化及びインターリーブは、より一般的には、３ＧＰＰ−ＬＴＥ標準規格（第３世代パートナーシッププロジェクト長期的発展型(Third Generation Partnership Project-Long Term Evolution)）で使用されるもののようなレートマッチングアルゴリズムによって行われる。
【００５３】
符号化ビットの少なくとも１つの部分ベクトル(sub vector)は、情報ビットから取得された複素変調シンボルから成る少なくとも１つの信号を取得するために、離散変調入力に提供される。この離散変調は、直交位相シフトキーイング変調、又は１６値、３２値、若しくは６４値直交振幅変調とすることができる。
【００５４】
送信元Ｓｒｃは、情報ビットから取得された複素変調シンボルから成る１つの各信号を自身のアンテナのそれぞれで転送する。
【００５５】
各中継器ＲＬは、１つ又は複数の信号を受信し、情報ビットの復号を試みる。中継器ＲＬが情報ビットの復号に成功すると、中継器ＲＬは、復号に成功したことを送信元Ｓｒｃに通知する場合もあるし通知しない場合もあり、送信フェーズにシフトする。
【００５６】
送信フェーズ中、送信元Ｓｒｃは、情報ビットから取得された複素変調シンボルの信号の送信を続ける。これらの信号は、中継器ＲＬによって転送された複素変調シンボルから成る信号とは異なるべきであり、送信元Ｓｒｃと同じ情報ビットから取得される。
【００５７】
各中継器は、自身のアンテナのそれぞれについて符号化ビットのＴ個のサブベクトルの１つを情報ビットから取得する。各中継器ＲＬは、異なる時刻に送信フェーズにシフトすることができる。該取得された部分ベクトル又は各取得された部分ベクトルは、情報ビットから取得された複素変調シンボルから成る少なくとも１つの信号を取得するために、離散変調入力に与えられる。この離散変調は、直交位相シフトキーイング変調、又は１６値、３２値、若しくは６４値直交振幅変調とすることができる。
【００５８】
情報ビットから取得された複素変調シンボルから成る１つ又は複数の信号は、レートマッチングアルゴリズムによって生成された冗長性に対応する。
【００５９】
送信信号は転送され、宛先Ｄｅｓｔは、自身が送信元Ｓｒｃ及び／又は他の中継器ＲＬから受信する重畳信号を復号する方法を知っている。転送された信号の１つが所与の時刻に転送されない場合、宛先Ｄｅｓｔは、エラー訂正符号の復号において、一致した符号化ビットを、パンクチャードビットに関連付けられた値に取り替える。
【００６０】
時空間ブロック符号（Space-Time Block Code）（ＳＴＢＣ）が無線セルラー通信ネットワークで使用される場合、送信元Ｓｒｃは、自身のアンテナのそれぞれを通じて１つの異なる信号を転送し、中継器ＲＬは、送信元Ｓｒｃによって宛先Ｄｅｓｔへ送信された情報ビットを受信し、その復号を試みる。
【００６１】
送信元Ｓｒｃは、情報語のＫビットの情報ビットを送信する。情報ビットは、符号化ビットのベクトルを形成するために、符号化器によって符号化ビットに変換される。
【００６２】
符号化ビットのベクトルは、情報ビットから取得されたシンボルから成る少なくとも１つの信号を取得するために、離散変調入力に与えられる。この離散変調は、直交位相シフトキーイング変調、又は１６値、３２値、若しくは６４値直交振幅変調とすることができる。
【００６３】
シンボルは、情報ビットから取得された複素変調シンボルから成るＴ個の異なる信号を形成するために処理される。
【００６４】
送信元Ｓｒｃは、情報ビットから取得されたＴ個の信号の１つを自身のアンテナのそれぞれで転送する。
【００６５】
各中継器ＲＬは、１つ又は複数の信号を受信し、情報ビットの復号を試みる。中継器ＲＬが情報ビットの復号に成功すると、中継器ＲＬは、復号に成功したことを送信元Ｓｒｃに通知する場合もあるし通知しない場合もあり、送信フェーズにシフトする。
【００６６】
送信フェーズ中、送信元Ｓｒｃは、中継器ＲＬによって転送された１つ又は複数の信号とは異なるべきである信号の送信を続ける。
【００６７】
各中継器ＲＬは、自身のアンテナのそれぞれについてＴ個の信号の１つを情報ビットから取得する。各中継器ＲＬは、異なる時刻に送信フェーズにシフトすることができる。複素変調シンボルから成る該取得された信号又は各取得された信号は、中継器ＲＬの各アンテナを通じて転送される。
【００６８】
ＳＴＢＣでは、時間は、Ｕ個のタイムスロットから成るスロットに分割される。各中継器ＲＬは、タイムスロットから成るスロットの開始時に送信をアクティブ化する。
【００６９】
ここで、ＵはＴに等しい場合もあるし等しくない場合もあることに留意しなければならない。
【００７０】
タイムスロットから成る所与のスロットにおいて、ｆi（ｚ1，…，ｚS）を、情報ビットから取得されたｉ番目の信号を形成するＳ個のシンボル（ｚ1，…，ｚS）の組み合わせであるシンボルと呼ぶことにする。例えば、送信元は、情報ビットから取得された複素シンボルから成る第１の信号を形成するために、ｆ1（ｚ1，…，ｚS）＝［ｚ1，…，ｚS］を使用することができる。
【００７１】
ここで、Ｕ又はＴはＳに等しい場合もあるし等しくない場合もあることに留意しなければならない。
【００７２】
例えば、４つのシンボルｚ1、ｚ2、ｚ3、及びｚ4が４つのタイムスロットから成る１つのスロットで転送される準直交ＳＴＢＣ伝送方式を考えることにする。
【００７３】
その準直交ＳＴＢＣ伝送方式は次のように表すことができる。
【００７４】
【数１】
2011109667.tif 000003
【００７５】
ここで、*は複素共役を示す。
【００７６】
その例では、Ｕ＝Ｔであり、Ｕ＝Ｓである。
【００７７】
この伝送方式は準直交である。すなわち、宛先Ｄｅｓｔにおいて右回転を従来通り適用した後、第１の信号及び第４の信号のみが、一方がそれぞれ他方においてまだ干渉しあっており、第２の信号及び第３の信号も同様である。その伝送方式の興味のある特性は、第１行及び第２行が直交アラモウチ方式の２つの独立した送信に対応し、第３行及び第４行も同様であるということである。
【００７８】
別の例では、準直交ＳＴＢＣ伝送方式は次のように変更される。
【００７９】
【数２】
2011109667.tif 000004
【００８０】
この変更された準直交ＳＴＢＣ伝送方式は、４つの代わりに２つのタイムスロットから成るスロットを考慮することを可能にし、より大きな柔軟性をシステムに与える。
【００８１】
ＳＴＢＣベースの伝送の別の例では、１スロット当たりのタイムスロットの個数がｎであり、アンテナの個数がｎである場合、F. Oggier、G. Rekaya、J-C. Belfiore、及びE. Viterboの「Perfect Space-Time Block Codes」、IEEE Transactions on Information Theory, vol. 52, Issue 9, pp. 3885-3902, September 2006に説明されているようなフルレートフルダイバーシティ時空間ブロック符号に従って次のタイプの送信を使用することができる。
【００８２】
【数３】
2011109667.tif 000005
【００８３】
ここで、σは、数拡大体（number field extension）Ｐ／Ｆに関連付けられた巡回群の生成元である。但し、Ｆは基礎体であり（例えば、Ｑ（ｉ）は、ｉ2＝−１を有する有理数の体であるか、又はＱ（ｊ）はｊ3＝１を有する有理数の体である）、ＰはＦ上の次元ｎのベクトル空間である。
【００８４】
変数γ∈Ｆは、
【００８５】
【数４】
2011109667.tif 000006
【００８６】
を有する巡回線形代数（cyclic linear algebra）Ａ＝（Ｐ／Ｆ，σ，γ）を定義することを可能にする。ここで、ｅn＝γである。
【００８７】
例えば、ｎ＝４の場合、Ｆ＝Ｑ（ｉ）、Ｐ＝Ｑ（ｉ，ｃｏｓ（２π／１５））、及びγ＝ｉが選ばれる。
【００８８】
無線セルラー通信ネットワークでは、前のブロックの送信の成功を肯定応答するために又はしないために、ハイブリッドＡＲＱ（ＨＡＲＱ）フィードバック方式が、宛先Ｄｅｓｔから送信元Ｓｒｃへ提供される。
【００８９】
ハイブリッドＡＲＱでは、冗長性の再送信は、宛先Ｄｅｓｔがシンボルの復号に成功することができないとき、すなわち、送信された情報語に組み込まれた巡回冗長検査(Cyclic Redundancy Check)（ＣＲＣ）が機能しないときに実行される。
【００９０】
十分な符号化ビットが送信されるとすぐに、宛先Ｄｅｓｔはメッセージを正しく復号することができ、送信は停止される。
【００９１】
宛先Ｄｅｓｔは、１つの情報語送信の開始から受信された一連の信号又は受信された符号化ビットの一連のソフト推定値を記憶し、連結されたシンボルに対して統合復号を適用する。
【００９２】
肯定応答は、複素変調シンボルの受信後において、それらの複素変調シンボルのＣＲＣチェックが正しい場合にそれらのシンボルの復号後に実行される。
【００９３】
通例、新しい各複素変調シンボルは、レートマッチングアルゴリズム及びエラー訂正符号の出力から取られた冗長ビットを含む。
【００９４】
ここで、本発明は、符号語が複素変調シンボルのいくつかのグループにセグメント化されている放送のようなオープンループ送信にも適用可能であることに留意しなければならない。
【００９５】
少なくとも１つの中継器管理エンティティＭＥを、無線セルラー通信ネットワークに含めることができる。中継器管理エンティティＭＥは、専用デバイスの場合もあるし、図１には図示しないコアネットワークデバイスに含まれる場合もあるし、基地局ＢＳに含まれる場合もある。
【００９６】
本発明によれば、中継器ＲＬが情報ビットの復号に成功すると、中継器ＲＬは、情報ビットから取得することができる複素シンボルから成る複数の信号の中の少なくとも１つの信号を選択し、復号に成功した時刻から転送されるべき、該選択された信号又は各選択された信号の部分を転送する。
【００９７】
図１に図示しない通信ネットワークは、基地局、中継器管理エンティティＭＥ、及び無線セルラー通信ネットワークのコアネットワークデバイスをリンクすることができる。
【００９８】
通信ネットワークは、ＤＳＬ（デジタル加入者線）ネットワーク又はＩＳＤＮ（サービス統合デジタル網）ネットワーク等とすることができる。
【００９９】
図２は、本発明が実施される中継器のアーキテクチャを表す図である。
【０１００】
中継器ＲＬは、例えば、バス２０１によって互いに接続されたコンポーネントと、図４、図５、又は図７に開示するようなプログラムによって制御されるプロセッサー２００とに基づくアーキテクチャを有する。
【０１０１】
バス２０１は、プロセッサー２００を、読み出し専用メモリーＲＯＭ２０２、ランダムアクセスメモリーＲＡＭ２０３、及び無線インターフェース２０５にリンクする。
【０１０２】
メモリー２０３は、変数と、図４、図５、又は図７に開示するようなプログラムの命令とを収容するように意図されたレジスタを含む。
【０１０３】
プロセッサー２００は、無線インターフェース２０５の動作を制御する。
【０１０４】
読み出し専用メモリー２０２は、図４、図５、又は図７に開示するようなプログラムの命令を含む。これらの命令は、中継器ＲＬに電源が投入されると、ランダムアクセスメモリー２０３へ転送される。
【０１０５】
無線インターフェース２０５は、中継器ＲＬが、基地局若しくはホーム基地局及び少なくとも１つの移動端末へ信号若しくはメッセージを転送し且つ／又はそれら基地局若しくはホーム基地局及び少なくとも１つの移動端末から信号若しくはメッセージを受信することを可能にする。
【０１０６】
無線インターフェース２０５は、
少なくとも１つの基地局又はホーム基地局によって転送された信号を受信するダウンリンク受信モジュール２１０を備えることができ、
少なくとも１つの移動端末又はホーム基地局へ信号を転送するダウンリンク送信モジュール２１１を備えることができ、
少なくとも１つの移動端末又はホーム基地局によって転送された信号を受信するアップリンク受信モジュール２１２を備えることができ、
少なくとも１つの基地局又はホーム基地局へ信号を転送するアップリンク送信モジュール２１３を備えることができる。
【０１０７】
図３は、本発明が実施される中継器管理エンティティのアーキテクチャを表す図である。
【０１０８】
中継器管理エンティティＭＥは、例えば、バス３０１によって互いに接続されたコンポーネントと、図８に開示するようなプログラムによって制御されるプロセッサー３００とに基づくアーキテクチャを有する。
【０１０９】
バス３０１は、プロセッサー３００を、読み出し専用メモリーＲＯＭ３０２、ランダムアクセスメモリーＲＡＭ３０３、ネットワークインターフェース３０６、及び中継器管理エンティティが基地局に含まれる場合には無線インターフェース３０５にリンクする。
【０１１０】
メモリー３０３は、変数と、図８に開示するようなプログラムの命令とを収容するように意図されたレジスタを含む。
【０１１１】
プロセッサー３００は、無線インターフェース３０５及びネットワークインターフェース３０６の動作を制御する。
【０１１２】
読み出し専用メモリー３０２は、図８に開示するようなプログラムの命令を含む。これらの命令は、中継器管理エンティティＭＥに電源が投入されると、ランダムアクセスメモリー３０３へ転送される。
【０１１３】
無線インターフェース３０５は、中継器管理エンティティＭＥが中継器へ信号若しくはメッセージを転送し且つ／又は中継器から信号若しくはメッセージを受信することを可能にする。
【０１１４】
ネットワークインターフェース３０６は、中継器管理エンティティＭＥが中継器へ信号若しくはメッセージを転送し且つ／又は中継器から信号若しくはメッセージを受信することを可能にする。
【０１１５】
例えば、ネットワークインターフェース３０６は、ＤＳＬ（デジタル加入者線）モデム又はＩＳＤＮ（サービス統合デジタル網）インターフェース等である。
【０１１６】
図４は、本発明の第１の実現モードによる中継器によって実行されるアルゴリズムの一例を開示する。
【０１１７】
より正確には、本アルゴリズムは、各中継器ＲＬのプロセッサー２００によって実行される。
【０１１８】
ステップＳ４００において、プロセッサー２００は、情報ビットから取得された複素変調シンボルから成る少なくとも１つの信号の、無線インターフェース２０５を通じた受信を検出する。
【０１１９】
情報ビットから取得された複素変調シンボルから成る少なくとも１つの信号は、ダウンリンク受信機２１０又はアップリンク受信機２１２によって受信され、１つの情報語の送信の開始からこれまでに受信された複素変調シンボルに連結される。
【０１２０】
次のステップＳ４０１において、プロセッサー２００は、情報ビットから取得された複素変調シンボルから成る少なくとも１つの受信信号を復号するように無線インターフェースに指令し、中継器ＲＬによってこれまでに受信された他の複素変調シンボルを含めることができる。
【０１２１】
複素変調シンボルは、符号化ビットのソフト推定値に復調され、デインターリーブされ、情報ビット推定値に復号される。
【０１２２】
次のステップＳ４０２において、プロセッサー２００は、複素変調シンボルから成る少なくとも１つの受信信号の復号後に求められたＣＲＣが正しいか否かをチェックする。
【０１２３】
ＣＲＣが正しい場合、プロセッサー２００はステップＳ４０３に移動し、そうでない場合、プロセッサー２００はステップＳ４００に戻る。
【０１２４】
ここで、一変形では、ＣＲＣが正しい場合、プロセッサー２００はステップＳ４０３に移動し、プロセッサー２００は、最後の受信された複素変調シンボルのベクトルについて、肯定応答メッセージが宛先Ｄｅｓｔによって送信元Ｓｒｃへ転送されているか否かをさらにチェックすることに留意されたい。
【０１２５】
肯定応答メッセージが転送されていた場合、プロセッサー２００はステップＳ４００に戻り、そうでない場合、プロセッサー２００はステップＳ４０３に移動する。
【０１２６】
ステップＳ４０３において、プロセッサー２００は、複数の信号の中の１つの信号を識別する情報を選択する。
【０１２７】
例えば、プロセッサー２００は、複数の信号の中の１つの信号を識別する情報をランダムに選択する。
【０１２８】
別の例では、プロセッサー２００は、複数の信号の中の１つの信号を識別する情報をメモリー２０３に読み込む。
【０１２９】
その後、プロセッサー２００は、ステップＳ４０４において、選択された信号を符号化するように無線インターフェースに指令する。
【０１３０】
情報ビットが判明すると、レートマッチングアルゴリズム、変調、及び複数アンテナ伝送方式を使用することによって、情報ビットの復号の成功から転送されるべき選択された信号の部分を導出することが可能である。
【０１３１】
次のステップＳ４０５において、プロセッサー２００は、復号の成功時刻から転送されるべき選択された信号の部分の転送を指令する。
【０１３２】
選択された信号は、この選択された信号を識別する少なくとも１つのパイロットシンボルと組み合わせて転送することができる。これによって、例えば、送信元Ｓｒｃ及び／又は少なくとも１つの他の中継器により場合により送信される可能性のあるＴ個の信号から、各信号の受信電力強度を宛先Ｄｅｓｔにおいて計算することが可能になる。
【０１３３】
信号が送信元Ｓｒｃ及び少なくとも１つの中継器ＲＬ又は複数の中継器ＲＬによって送信された場合、その信号は、より大きな受信電力を有する送信Ｓｒｃによって転送された信号として宛先で認識される。
【０１３４】
図５は、本発明の第２の実現モードによる中継器によって実行されるアルゴリズムの一例を開示する。
【０１３５】
ステップＳ５００において、プロセッサー２００は、情報ビットから取得された複素変調シンボルから成る少なくとも１つの信号の、無線インターフェース２０５を通じた受信を検出する。
【０１３６】
情報ビットから取得された複素変調シンボルから成る少なくとも１つの信号は、ダウンリンク受信機２１０又はアップリンク受信機２１２によって受信され、１つの情報語の送信の開始からこれまでに受信された複素変調シンボルに連結される。
【０１３７】
次のステップＳ５０１において、プロセッサー２００は、情報ビットから取得された複素変調シンボルから成る少なくとも１つの受信信号を復号するように無線インターフェースに指令し、中継器ＲＬによってこれまでに受信された他の複素変調シンボルを含めることができる。
【０１３８】
情報ビットから取得された複素変調シンボルは、符号化ビットのソフト推定値に復調され、デインターリーブされ、情報ビット推定値に復号される。
【０１３９】
次のステップＳ５０２において、プロセッサー２００は、情報ビットから取得された複素変調シンボルから成る少なくとも１つの受信信号の復号後に求められたＣＲＣが正しいか否かをチェックする。
【０１４０】
ＣＲＣが正しい場合、プロセッサー２００はステップＳ５０３に移動し、そうでない場合、プロセッサー２００はステップＳ５００に戻る。
【０１４１】
ここで、一変形では、ＣＲＣが正しい場合、プロセッサー２００はステップＳ５０３に移動し、プロセッサー２００は、最後の受信された複素変調シンボルのベクトルについて、肯定応答メッセージが宛先Ｄｅｓｔによって送信元Ｓｒｃへ転送されているか否かをさらにチェックすることに留意されたい。
【０１４２】
肯定応答メッセージが転送されていた場合、プロセッサー２００はステップＳ５００に戻り、そうでない場合、プロセッサー２００はステップＳ５０３に移動する。
【０１４３】
例えば、ステップＳ５００と並列に、無線インターフェース２０５は、複数の信号の中の各可能な信号のパイロットシンボル受信電力を検出する。少なくとも１つのパイロットシンボルは、複数の信号の中の１つの信号を一意に識別する。
【０１４４】
次のステップＳ５０４において、プロセッサー２００は、パイロットシンボル受信電力が最も低い信号を選択する。
【０１４５】
その後、プロセッサー２００は、ステップＳ５０５において、選択された信号を符号化するように無線インターフェースに指令する。
【０１４６】
情報ビットが判明すると、情報ビットの復号の成功から転送されるべき選択された信号の部分を導出することが可能である。
【０１４７】
次のステップＳ５０６において、プロセッサー２００は、復号の成功の時刻から転送されるべき選択された信号の部分の転送を指令する。
【０１４８】
選択された信号は、この選択された信号を識別する少なくとも１つのパイロットシンボルと組み合わせて転送することができる。
【０１４９】
これによって、例えば、送信元Ｓｒｃ及び／又は少なくとも１つの他の中継器により場合によって送信される可能性のあるＴ個の信号から、各信号の受信電力強度を宛先Ｄｅｓｔにおいて計算することが可能になる。
【０１５０】
信号が送信元Ｓｒｃ及び少なくとも１つの中継器ＲＬ又は複数の中継器ＲＬによって送信された場合、その信号は、より大きな受信電力を有する送信Ｓｒｃによって転送された信号として宛先で認識される。
【０１５１】
図６は、本発明による送信元と宛先との間で転送される信号の一例を開示する。
【０１５２】
図６は、送信元ＳＲＣが２つの送信アンテナを有し、中継器ＲＬ１及びＲＬ２が単一の送信アンテナを有し、中継器ＲＬ３が２つの送信アンテナを有する一例を開示する。
【０１５３】
宛先Ｄｅｓｔは、１つ、２つ、又は４つの受信アンテナを有することができる。
【０１５４】
例えば、以下の準直交ＳＴＢＣ伝送方式が図６で使用される。
【０１５５】
【数５】
2011109667.tif 000007
【０１５６】
送信元Ｓｒｃは２つの信号Ｓ１及びＳ２を送信する。各信号は、情報ビットから取得された複素変調シンボルから成る。
【０１５７】
送信元Ｓｒｃは、情報語のＫビットの情報ビットを送信する。情報ビットは、符号化ビットのベクトルを形成するために符号化器によって符号語ビットに変換される。
【０１５８】
符号化ビットのベクトルは、情報ビットから取得されたシンボルから成る少なくとも１つの信号を取得するために、離散変調入力に与えられる。この離散変調は、直交位相シフトキーイング変調、又は１６値、３２値、若しくは６４値直交振幅変調とすることができる。
【０１５９】
シンボルは、情報ビットから取得された複素変調シンボルから成る４つの異なる信号を形成するために処理され、これらの異なる信号は４つのタイムスロットから成るスロットにセグメント化される。
【０１６０】
送信元Ｓｒｃは、情報ビットから取得された複素シンボルから成る第１の信号Ｓ１を形成するために、４つのタイムスロットから成る各スロットにｆ1（ｚ1，ｚ2，ｚ3，ｚ4）＝（ｚ1，ｚ2，ｚ3，ｚ4）を使用する。信号Ｓ１は、信号Ｓ１に関連付けられたパイロットシンボルと共に第１のアンテナで送信される。信号Ｓ１は縦のハッチングによって表されている。
【０１６１】
送信元Ｓｒｃは、情報ビットから取得された複素シンボルから成る第２の信号Ｓ２を形成するために、４つのタイムスロットから成る各スロットにｆ2（ｚ1，ｚ2，ｚ3，ｚ4）＝（−ｚ2*，ｚ1*，−ｚ4*，ｚ3*）を使用する。信号Ｓ２は、信号Ｓ２に関連付けられたパイロットシンボルと共に送信元Ｓｒｃの第２のアンテナで送信される。信号Ｓ２は横のハッチングによって表されている。
【０１６２】
中継器ＲＬ１〜ＲＬ４及び宛先Ｄｅｓｔは、信号Ｓ１及びＳ２を受信する。
【０１６３】
時刻Ｔ１において、中継器ＲＬ１は、信号Ｓ１及びＳ２からの情報ビットの復号に成功する。
【０１６４】
中継器ＲＬ１は、Ｓ１、Ｓ２、Ｓ３、及びＳ４である複数の信号の中の各可能な信号のパイロットシンボルの受信電力を検出する。
【０１６５】
中継器ＲＬ１は、例えば、パイロットシンボル電力が最小のものの１つである信号Ｓ３を選択する。
【０１６６】
中継器ＲＬ１は、時刻Ｔ１から転送されるべき複素シンボルからなる信号Ｓ３を、復号された情報ビットから導出する。また、中継器ＲＬ１は、復号に成功した時刻Ｔ１から転送されるべき信号Ｓ３の部分を、信号Ｓ３に関連付けられたパイロットシンボルと共に中継器ＲＬ１のアンテナで転送する。信号Ｓ３はチェックの模様によって表されている。
【０１６７】
Ｔ１から、中継器ＲＬ２〜ＲＬ４及び宛先Ｄｅｓｔは、送信元及び中継器ＲＬ１によって送信された信号Ｓ１、Ｓ２、及びＳ３を受信する。
【０１６８】
時刻Ｔ２において、中継器ＲＬ２は、信号Ｓ１、Ｓ２、及びＳ３からの情報ビットの復号に成功する。
【０１６９】
中継器ＲＬ２は、Ｓ１、Ｓ２、Ｓ３、及びＳ４である複数の信号の中の各可能な信号のパイロットシンボルの受信電力を検出する。
【０１７０】
中継器ＲＬ２は、例えば、パイロットシンボルが最も低い信号Ｓ４を選択する。
【０１７１】
中継器ＲＬ２は、時刻Ｔ２から転送されるべき複素シンボルからなる信号Ｓ４を、復号された情報ビットから導出する。また、中継器ＲＬ２は、復号に成功した時刻Ｔ２から転送されるべき信号Ｓ４の部分を、信号Ｓ４に関連付けられたパイロットシンボルと共に中継器ＲＬ２のアンテナで転送する。信号Ｓ４は斜めのハッチングによって表されている。
【０１７２】
Ｔ２から、中継器ＲＬ３及びＲＬ４並びに宛先Ｄｅｓｔは、信号Ｓ１、Ｓ２、Ｓ３、及びＳ４を受信する。
【０１７３】
時刻Ｔ３において、中継器ＲＬ３は、信号Ｓ１、Ｓ２、Ｓ３、及びＳ４からの情報ビットの復号に成功する。
【０１７４】
中継器ＲＬ３は、Ｓ１、Ｓ２、Ｓ３、及びＳ４である複数の信号の中の各可能な信号のパイロットシンボルの受信電力を検出する。
【０１７５】
中継器ＲＬ３は、例えば、パイロットシンボルが最も低い信号Ｓ１及びＳ４を選択する。
【０１７６】
中継器ＲＬ３は、時刻Ｔ３から転送されるべき複素シンボルからなる信号Ｓ１を復号された情報ビットから導出する。また、中継器ＲＬ３は、復号に成功した時刻Ｔ３から転送されるべき信号Ｓ１の部分を、信号Ｓ１に関連付けられたパイロットシンボルと共に中継器ＲＬ３の第１のアンテナで転送する。信号Ｓ１は縦のハッチングによって表されている。
【０１７７】
中継器ＲＬ３は、時刻Ｔ３から転送されるべき複素シンボルからなる信号Ｓ４を復号された情報ビットから導出する。また、中継器ＲＬ３は、復号に成功した時刻Ｔ３から転送されるべき信号Ｓ４の部分を、信号Ｓ４に関連付けられたパイロットシンボルと共に中継器ＲＬ３の第２のアンテナで転送する。信号Ｓ４は横のハッチングによって表されている。
【０１７８】
Ｔ３から、宛先Ｄｅｓｔは、送信元Ｓｒｃ及び中継器ＲＬ３によって転送された信号Ｓ１を受信する。送信元Ｓｒｃによって転送された信号Ｓ１に加えて中継器ＲＬ３が信号Ｓ１を転送することによって、宛先ＤｅｓｔによるＳ１の受信電力強度は増加する。
【０１７９】
Ｔ２から、宛先Ｄｅｓｔは、送信元Ｓｒｃ及び中継器ＲＬ３によって転送された信号Ｓ４を受信する。送信元Ｓｒｃによって転送された信号Ｓ４に加えて中継器ＲＬ３が信号Ｓ４を転送することによって、宛先ＤｅｓｔによるＳ４の受信電力強度は増加する。
【０１８０】
信号Ｓ１、Ｓ２、Ｓ３、及びＳ４は、ダイバーシティをもたらし、宛先Ｄｅｓｔによるより良好な復号を可能にする。
【０１８１】
図７は、本発明の第３の実現モードによる中継器によって実行されるアルゴリズムの一例を開示する。
【０１８２】
ステップＳ７００において、プロセッサー２００は、情報ビットから取得された複素変調シンボルから成る少なくとも１つの信号の、無線インターフェース２０５を通じた受信を検出する。
【０１８３】
情報ビットから取得された複素変調シンボルから成る少なくとも１つの信号は、ダウンリンク受信機２１０又はアップリンク受信機２１２によって受信され、１つの情報語の送信の開始からこれまでに受信された複素変調シンボルに連結される。
【０１８４】
次のステップＳ７０１において、プロセッサー２００は、情報ビットから取得された複素変調シンボルから成る少なくとも１つの受信信号を復号するように無線インターフェースに指令し、情報ビットから取得された他の複素変調シンボル及び中継器ＲＬによってこれまでに受信された他の複素変調シンボルを含めることができる。
【０１８５】
情報ビットから取得された複素変調シンボルは、符号化ビットのソフト推定値に復調され、デインターリーブされ、情報ビット推定値に復号される。
【０１８６】
次のステップＳ７０２において、プロセッサー２００は、情報ビットから取得された複素変調シンボルから成る少なくとも１つの受信信号の復号後に求められたＣＲＣが正しいか否かをチェックする。
【０１８７】
ＣＲＣが正しい場合、プロセッサー２００はステップＳ７０３に移動し、そうでない場合、プロセッサー２００はステップＳ７００に戻る。
【０１８８】
ここで、一変形では、ＣＲＣが正しい場合、プロセッサー２００はステップＳ７０３に移動し、プロセッサー２００は、情報ビットから取得された最後の受信された複素変調シンボルについて、肯定応答メッセージが宛先Ｄｅｓｔによって送信元Ｓｒｃへ転送されているか否かをさらにチェックする。
【０１８９】
肯定応答メッセージが転送されていた場合、プロセッサー２００はステップＳ７００に戻り、そうでない場合、プロセッサー２００はステップＳ７０３に移動する。
【０１９０】
ステップＳ７０３において、プロセッサー２００は、情報ビットの復号の成功を通知するメッセージの中継器管理エンティティＭＥへの転送を指令する。
【０１９１】
中継器管理エンティティＭＥが専用デバイスであるか又はコアネットワークデバイスに含まれる場合、このメッセージは、アップリンク送信機２１３を通じて送信元Ｓｒｃへ転送される。アップリンク送信機２１３は、通信ネットワークを通じてそのメッセージを中継器管理エンティティＭＥへ転送する。
【０１９２】
中継器管理エンティティＭＥが基地局に含まれる場合、メッセージは、アップリンク送信機２１３を通じて送信元Ｓｒｃへ転送される。
【０１９３】
次のステップＳ７０４において、プロセッサー２００は、ステップＳ７０３において転送されたメッセージに応答して、中継器ＲＬが転送しなければならない信号を識別する情報を受信する。
【０１９４】
その後、プロセッサー２００は、ステップＳ７０５において、識別された信号を符号化するように無線インターフェースに指令する。
【０１９５】
情報ビットが判明すると、情報ビットの復号の成功から転送されるべき識別された信号の部分を導出することが可能である。
【０１９６】
次のステップＳ７０６において、プロセッサー２００は、復号の成功の時刻から転送されるべき識別された信号の部分の転送を指令する。
【０１９７】
選択された信号は、この選択された信号を識別する少なくとも１つのパイロットシンボルと組み合わせて転送することができる。
【０１９８】
図８は、本発明の第３の実現モードによる中継器管理エンティティによって実行されるアルゴリズムの一例を開示する。
【０１９９】
より正確には、プロセッサー３００が本アルゴリズムを実行する。
【０２００】
ステップＳ８００において、プロセッサー３００は、情報ビットの復号の成功を通知するメッセージの受信を検出する。このメッセージは、図７のステップＳ７０３において開示したものと同様である。
【０２０１】
ステップＳ８０１において、プロセッサー３００は、受信メッセージを転送した中継器ＲＬの各アンテナについて複数の信号の中の１つの信号を識別する１つの情報を選択する。
【０２０２】
例えば、プロセッサー３００は、メッセージを転送した中継器ＲＬが転送すべき１つの信号を識別する情報をメモリー３０３に読み込む。
【０２０３】
別の例では、プロセッサー３００は、例えば各信号の使用を最大にするために、他の中継器から受信されたこれまでのメッセージに従って、メッセージを転送した中継器ＲＬが転送すべき１つの信号を識別する情報を選択する。
【０２０４】
次のステップＳ８０２において、プロセッサー３００は、選択された信号を識別する情報を含む応答メッセージの、ステップＳ８００において受信されたメッセージを送信した中継器ＲＬへの転送を指令する。
【０２０５】
当然、本発明の範囲から逸脱することなく、上記の本発明の実施形態に対して数多くの変更を行なうことができる。
【図１】
2011109667.tif 000008
【図２】
2011109667.tif 000009
【図３】
2011109667.tif 000010
【図４】
2011109667.tif 000011
【図５】
2011109667.tif 000012
【図６】
2011109667.tif 000013
【図７】
2011109667.tif 000014
【図８】
2011109667.tif 000015
【外国語明細書】
2011109667.tif 000016
2011109667.tif 000017
2011109667.tif 000018
2011109667.tif 000019
2011109667.tif 000020
2011109667.tif 000021
2011109667.tif 000022
2011109667.tif 000023
2011109667.tif 000024
2011109667.tif 000025
2011109667.tif 000026
2011109667.tif 000027
2011109667.tif 000028
2011109667.tif 000029
2011109667.tif 000030
2011109667.tif 000031
2011109667.tif 000032
2011109667.tif 000033
2011109667.tif 000034
2011109667.tif 000035
2011109667.tif 000036
2011109667.tif 000037
2011109667.tif 000038
2011109667.tif 000039
2011109667.tif 000040
2011109667.tif 000041
2011109667.tif 000042
2011109667.tif 000043
2011109667.tif 000044